(57)【要約】【課題】電動車両の車載電池に給電する給電システムであって、そのユーザに対して宗教団体の所定のサービスも提供できる給電システムを提供する。【解決手段】電動車両50の車載電池に給電するための給電スタンド10と、給電スタンド10及び給電スタンド10のユーザが利用する端末機20の各々と通信するサーバ30とを備える。給電スタンド10は、端末機20からのサーバ30を介した要求に応じて、車載電池への給電を行う。サーバ30は、給電スタンド10を利用するべく端末機20を介してアクセスしたユーザの認証を行い、認証されたユーザに対して、宗教団体が所定のサービスを端末機20又は給電スタンド10を介して提供できるようにする。このサービスの具体例としては、おみくじやお守りの提供が挙げられる。【選択図】図１
2013178594.tif 000002
【特許請求の範囲】
【請求項１】
電動車両の車載電池に給電する給電スタンドと、
この給電スタンド及び当該給電スタンドのユーザが利用する端末機の各々と通信網を介して通信するサーバとを備え、
前記給電スタンドは、
前記ユーザによる端末機からのサーバを介した要求又はユーザによる当該給電スタンドからのサーバを介した要求に応じて、車載電池への給電を許可するスイッチ手段と、
前記車載電池に給電した電力量を計測する電力量計測手段とを有し、
前記サーバは、
前記ユーザを特定するためのユーザマスタ情報を記憶するユーザ情報記憶手段と、
宗教団体が前記端末機又は給電スタンドを介してユーザに提供するサービスのサービスデータを記憶するサービス情報記憶手段と、
前記端末機から送信されたユーザ入力情報と前記ユーザマスタ情報とを参照して、ユーザの認証を行うユーザ認証手段と、
このユーザ認証手段により認証されたユーザに対して、前記宗教団体が提供するサービスのうち、ユーザが端末機又は給電スタンドを介して要求したサービス又は予めユーザに自動提供するように設定されたサービスのサービスデータを前記サービス情報記憶手段から選択し、当該サービスデータを端末機又は給電スタンドにおいて認識できるように指令する宗教関連サービス提供手段と、
前記電力量計測手段の計測結果に基づいて給電電力料金を演算すると共に、当該給電電力料金と前記宗教関連サービス提供手段により提供されたサービスの料金とを含む利用料金を演算する料金演算手段とを有することを特徴とする電動車両用給電システム。
【請求項２】
前記宗教団体が提供するサービスのサービスデータが、次の少なくとも一つであることを特徴とする請求項１に記載の電動車両用給電システム。
（１）おみくじの結果データ
（２）お守りの画像データ
（３）宗教団体のイベント・施設ガイド・販売物の広告などの案内データ
（４）読経・講話・宗教歌などの音声データ
【請求項３】
前記宗教団体が提供するサービスのサービスデータがおみくじの結果データであり、
前記宗教関連サービス提供手段は、大吉、中吉などのおみくじの結果が引き当てられる頻度に関して予め設定された一定の確率に応じた乱数を発生させ、その得られた乱数からおみくじの結果を決定し、その結果に対応するおみくじの結果データを前記サービス情報記憶手段から読み出すおみくじ発行部を有することを特徴とする請求項２に記載の電動車両用給電システム。
【請求項４】
前記サーバは、ユーザが利用しようとする給電スタンドの設置された地域の交通情報を取得する交通情報取得手段を備え、
前記おみくじ発行部は、おみくじの結果データに前記交通情報を加えたおみくじを発行することを特徴とする請求項３に記載の電動車両用給電システム。
【請求項５】
前記ユーザマスタ情報として、ユーザが前記宗教団体の規定する要件を満たすメンバであるか否かが含まれ、
前記ユーザ認証手段によりユーザが前記メンバであると判断された場合、前記料金演算手段は、所定の料金の割引又は免除を行うように給電スタンドの利用料金を演算することを特徴とする請求項１〜４のいずれか一項に記載の電動車両用給電システム。
【請求項６】
前記給電スタンドはディスプレイを備え、
前記宗教関連サービス提供手段は、前記端末機又は給電スタンドからサーバへのアクセスが行われることに伴い、前記宗教団体に関する案内データを前記ディスプレイに表示するように指令することを特徴とする請求項１〜５のいずれか一項に記載の電動車両用給電システム。
【請求項７】
前記給電スタンドはスピーカを備え、
前記宗教関連サービス提供手段は、前記端末機又は給電スタンドからサーバへのアクセスが行われることに伴い、前記宗教団体に関する案内データを前記スピーカから出力するように指令することを特徴とする請求項１〜６のいずれか一項に記載の電動車両用給電システム。
【発明の詳細な説明】
【技術分野】
【０００１】
本発明は、電気自動車やハイブリッド車などの電動車両に搭載された電池の充電を行うための給電システムに関する。特に、給電サービスのみならず、宗教関連サービスも合わせてユーザに提供できる給電システムに関する。
【背景技術】
【０００２】
環境負荷の低減を目的として、電気自動車やハイブリッド車などの電動自動車が開発されている。これら電動自動車を広く普及させるには、車載電池を充電するための給電スタンドが各所に整備される必要がある。特に、電動自動車を駐車場に入庫中、車載電池を充電できる給電スタンドが効率的な充電を可能にするものとして期待されている。そのような給電スタンドに関する技術として、特許文献１に記載のものがある。
【０００３】
この文献は、給電スタンド、給電サーバおよび端末機器を用いた電気自動車の給電課金システムを開示している。具体的には、まず、携帯電話などの端末機器から給電サーバへのアクセスにより給電スタンドを特定すると共にユーザ認証を行う。給電スタンドの特定及びユーザ認証の完了後に給電サーバからの指令に基づいて給電スタンドの給電スイッチをONして給電を開始する。その給電スイッチのOFFによる給電終了後に使用電力量を給電スタンドから給電サーバへ送信し、使用電力量に応じた電力料金を含む利用料を給電サーバで演算する。そして、利用料を給電サーバから端末機器へ送信してユーザに知らせると共に、その利用料の決済処理を決済代行業者（クレジットカード会社など）を介して行うことでユーザに課金する。
【先行技術文献】
【特許文献】
【０００４】
【特許文献１】特開2011-34500号公報
【発明の概要】
【発明が解決しようとする課題】
【０００５】
しかし、上記の給電スタンドは、電動車両への給電のみを主たる機能としており、給電以外のサービスと協働した機能は備えていない。特に、神社や寺院といった宗教法人などの宗教関係団体（以下、宗教団体という。）において提供されるサービスと給電機能との協働は、従来全く行われていない。神社仏閣など（以下、宗教施設という。）の駐車場などに給電スタンドを設けておき、その宗教施設を電動車両で訪れた者に対して、参拝中などに給電スタンドに停車させた電動車両に対して給電サービスを提供すると共に、宗教団体が提供する宗教関連サービスをも合わせて提供できれば、より一層便利である。
【０００６】
本発明は、上記の事情に鑑みてなされたもので、その目的の一つは、給電スタンドのユーザに対し、給電サービスに加えて、宗教団体が提供する宗教関連サービスをも提供できる電動車両用給電システムを提供することにある。
【課題を解決するための手段】
【０００７】
本発明の電動車両用給電システムは、電動車両の車載電池に給電する給電スタンドと、この給電スタンド及び当該給電スタンドのユーザが利用する端末機の各々と通信網を介して通信するサーバとを備える。上記給電スタンドは、上記ユーザによる端末機からのサーバを介した要求又はユーザによる当該給電スタンドからのサーバを介した要求に応じて、車載電池への給電を許可するスイッチ手段と、上記車載電池に給電した電力量を計測する電力量計測手段とを有する。上記サーバは、ユーザ情報記憶手段と、サービス情報記憶手段と、ユーザ認証手段と、宗教関連サービス提供手段と、料金演算手段とを有する。ユーザ情報記憶手段は、上記ユーザを特定するためのユーザマスタ情報を記憶する。サービス情報記憶手段は、宗教団体が上記端末機又は給電スタンドを介してユーザに提供するサービスのサービスデータを記憶する。ユーザ認証手段は、上記端末機から送信されたユーザ入力情報と上記ユーザマスタ情報とを参照して、ユーザの認証を行う。宗教関連サービス提供手段は、ユーザ認証手段により認証されたユーザに対して、上記宗教団体が提供するサービスのうち、ユーザが端末機又は給電スタンドを介して要求したサービス又は予めユーザに自動提供するように設定されたサービスのサービスデータを上記サービス情報記憶手段から選択し、当該サービスデータを端末機又は給電スタンドにおいて認識できるように指令する。そして、料金演算手段は、電力量計測手段の計測結果に基づいて給電電力料金を演算すると共に、当該給電電力料金と上記宗教関連サービス提供手段により提供されたサービスの料金とを含む利用料金を演算する。なお、この明細書において、電動車両には、電気自動車の他、ハイブリッド車のように、駆動力の少なくとも一部をモータに依存するあらゆる車両を含む。
【０００８】
この構成によれば、給電スタンドのユーザは、給電スタンドの利用により、車載電池への充電は勿論、宗教団体が提供する各種サービスも受けることができる。この宗教関連サービスが有料の場合でも、料金演算手段により給電に要する費用と共に宗教関連サービスの料金も合算で計算できるため、ユーザは給電サービスに対する料金と宗教関連サービスに対する料金とを個別に決済する必要がなく、便利である。また、宗教施設やその近隣に本発明に係る給電スタンドが設置されていれば、ユーザは電動車両で宗教施設を訪れた際にも、車載電池の充電不足を危惧する必要もない。一方、宗教団体は、宗教施設の駐車場などに給電スタンドを設置することで、電動車両での来訪者の増加を期待できると共に、この給電スタンドを介して各種宗教関連サービスを提供することもできる。
【０００９】
本発明の一形態として、前記宗教団体が提供するサービスのサービスデータが、次の少なくとも一つとすることが挙げられる。
（１）おみくじの結果データ
（２）お守りの画像データ
（３）宗教団体のイベント・施設ガイド・販売物の広告などの案内データ
（４）読経・講話・宗教歌などの音声データ
【００１０】
この構成によれば、ユーザが利用する端末機又は給電スタンドを介して、上記の各種宗教関連サービスを提供することができる。これらのサービスは、有料であっても良いし、場合によっては無料であっても良い。
【００１１】
本発明の一形態として、前記宗教団体が提供するサービスのサービスデータがおみくじの結果データであり、前記宗教関連サービス提供手段は、大吉、中吉などのおみくじの結果が引き当てられる頻度に関して予め設定された一定の確率に応じた乱数を発生させ、その得られた乱数からおみくじの結果を決定し、その結果に対応するおみくじの結果データを前記サービス情報記憶手段から読み出すおみくじ発行部を有することが挙げられる。
【００１２】
この構成によれば、所謂電子おみくじとしてユーザにおみくじを提供することが容易にできる。
【００１３】
前記宗教団体が提供するサービスのサービスデータがおみくじである場合の本発明の一形態として、前記サーバは、ユーザが利用しようとする給電スタンドの設置された地域の交通情報を取得する交通情報取得手段を備えることが挙げられる。その場合、前記おみくじ発行部は、おみくじの結果データに前記交通情報を加えたおみくじを発行する。
【００１４】
この構成によれば、おみくじと共にユーザが利用しようとする給電スタンド周辺の交通情報をユーザに提供できる。
【００１５】
本発明の一形態として、前記ユーザマスタ情報として、ユーザが前記宗教団体の規定する要件を満たすメンバであるか否かが含まれ、前記ユーザ認証手段によりユーザが前記メンバであると判断された場合、前記料金演算手段は、所定の料金の割引又は免除を行うように給電スタンドの利用料金を演算することが挙げられる。
【００１６】
この構成によれば、ユーザが宗教団体の規定する要件を満たすメンバ、例えば当該宗教の信者である場合、ユーザ認証手段により、そのユーザが上記メンバであることを容易に判別でき、車載電池への給電に伴う料金や宗教関連サービスの利用に伴う料金を割引したり、無料化することができる。それにより、宗教団体と所定の関係のあるユーザに対して給電スタンドの利用に伴う特典を提供することができる。
【００１７】
本発明の一形態として、前記給電スタンドはディスプレイを備え、前記宗教関連サービス提供手段は、前記端末機又は給電スタンドからサーバへのアクセスが行われることに伴い、前記宗教団体に関する案内データを前記ディスプレイに表示するように指令することが挙げられる。
【００１８】
この構成によれば、ユーザに対して、給電スタンドが備えるディスプレイを介してユーザに便利な情報（例えば宗教施設でのイベントの案内など）を視覚的に提供することができる。
【００１９】
本発明の一形態として、前記給電スタンドはスピーカを備え、前記宗教関連サービス提供手段は、前記端末機又は給電スタンドからサーバへのアクセスが行われることに伴い、前記宗教団体に関する案内データを前記スピーカから出力するように指令することが挙げられる。
【００２０】
この構成によれば、ユーザに対して、給電スタンドが備えるスピーカを介してユーザに便利な情報を聴覚的に提供することができる。
【発明の効果】
【００２１】
本発明の電動車両用給電システムによれば、給電スタンドから電動車両の車載電池を充電するだけでなく、宗教団体の提供する各種宗教関連サービスを給電スタンドのユーザに対して提供することができる。
【図面の簡単な説明】
【００２２】
【図１】本発明の実施形態に係る給電システムの概略説明図である。
【図２】図１のシステムに用いる給電スタンドの機能ブロック図である。
【図３】図１のシステムに用いるサーバの機能ブロック図である。
【図４】図１のシステムを用いた処理手順を示すフローチャートである。
【発明を実施するための形態】
【００２３】
以下、図１〜図４を参照して本発明の実施の形態を説明する。
【００２４】
［実施形態１］
〔システムの構成〕
{概要}
この電動車両用給電システム1は、図１に示すように、宗教法人の管理する施設内又はその近隣の駐車場などに設置された給電スタンド10と、その給電スタンド10及び当該給電スタンドのユーザが利用する端末機20の各々と通信網を介して通信するサーバ30とを主たる構成要素とする。ユーザは、駐車場に電動車両50を駐車し、充電ケーブル60で給電スタンド10と車載電池とを接続して、端末機20からサーバ30を介した要求により、給電スタンド10から車載電池に給電させる。この給電に伴い車載電池は充電され、給電スタンド10にて充電に要した電力量が計測される。また、サーバ30は、おみくじやお守りとった宗教関連サービスを端末機20や給電スタンド10を介してユーザに提供する。上記電力量の計測結果は、給電スタンド10からサーバ30に送信され、サーバ30にて充電終了時には前記電力量に基づいて給電システムの利用料金が算出される。上記宗教関連サービスが有料である場合は、そのサービス料を給電システム1の利用料金に含めて算出する。この利用料金は、サーバ30から端末機20に送信されることで、ユーザに知らされる。以下、各部の構成を詳しく説明する。
【００２５】
{給電スタンド}
給電スタンド10は、電動車両50の車載電池に対して給電と給電停止とを行い、車載電池を充電するための装置である。本例では、神社仏閣の駐車場に区画された複数の駐車スペースの各々に給電スタンド10が設けられ、それらスタンド10の一つがサーバ30との通信機能を有する親機、残りを親機の通信機能を利用してサーバ30と通信する子機としている。この親機は、図２に示すように、商用電源に接続され、スイッチ（ＳＷ）手段11、電力量計測手段12、スタンド側通信手段13、及びスタンド制御手段14を備える。子機は、親機と通信ケーブルで接続され、親機のスタンド側通信手段13をサーバ30との通信に利用するように構成されている。それ以外の子機の構成は親機と同様である。この給電スタンドは、接続する商用電源の電圧に応じて、急速充電スタンドであっても良いし、普通充電スタンドであってもよい。神社仏閣へのユーザの来訪形態が、日帰りなどの一時利用型の場合は急速充電スタンドであることが好ましく、宗教法人の宿泊施設に宿泊する滞在型の場合は普通充電スタンドであることが好ましい。
【００２６】
＜スイッチ手段＞
スイッチ手段11は、ユーザが端末機20からサーバ30を介して行った要求により車載電池への給電を実行し、電動車両50側からの受電の遮断又は電力量計測手段12の計測結果からの給電停止指令に基づいて給電を停止する。
【００２７】
＜電力量計測手段＞
電力量計測手段12は、給電スタンド10から車載電池に給電した電力量を計測する。電力量の計測には、種々の公知の電力量計が利用できる。例えば、特開2006-258443号公報に示すように、給電スタンド10からの車載電池に供給される電力の電圧・電流を計測し、各々適宜な電圧に変換して、電力量の計量を行い、計量パルスに変換する電力量計が利用できる。この電力量計での計測結果は、例えば1kWH当たり○○パルスとしてサーバ30に送信される。
【００２８】
＜スタンド側通信手段＞
スタンド側通信手段13は、スイッチ手段11の給電・停止の指令や電力量計測手段12の計測結果などの各種データをサーバ30と送受信する。本例では、給電スタンド10とサーバ30との通信には、携帯電話網を利用している。勿論、必要なデータの通信が実用的な速度で可能であれば、無線・有線を問わず、種々の通信網を利用できる。有線による通信の具体例としては、光ファイバを用いた通信が挙げられる。
【００２９】
＜スタンド制御手段＞
スタンド制御手段14は、上記スイッチ手段11、電力量計測手段12、及びスタンド側通信手段13の協働を統合して制御する。
【００３０】
＜その他＞
また、給電スタンド10には、そのスタンド10を特定するための識別コード15が表示されている。この識別コード15は、端末機20を介してサーバ30に送信されることで、どの給電スタンド10から給電を行うかをサーバ30が認識するためのものである。本例では、給電スタンド10の見やすい位置にＱＲコード（株式会社デンソーウェーブの登録商標）を表示して識別コード15としている。勿論、給電スタンド10を特定する情報が表示できれば、他の認識コードであっても構わない。
【００３１】
さらに、給電スタンド10には、給電スタンド10の動作状態、例えば準備状態、給電中、及び給電終了をそれぞれ青、赤、緑で示す各ランプ（図示略）や、一端が電動車両50につながれた充電ケーブル60の他端を接続するコンセント16が設けられている。必要に応じて、給電スタンド10で音声ガイダンスが出力できるようにスピーカ（図示略）を備えてもよい。例えば、給電スタンド10の動作状態に応じて、「準備ができました。充電コードを接続してください。」、「充電中です。充電コードを抜かないで下さい。」、「充電が終了しました。充電コードを外して下さい。」などの音声出力を行ってもよい。
【００３２】
上記の音声出力を行うスピーカは、宗教関連サービスの提供にも利用できる。例えば、宗教法人が開催するイベントの音声ガイダンスなどをスピーカから流すことを行っても良い。宗教関連サービスの提供には、スピーカの他、ディスプレイ（図示略）を給電スタンド10に設けても良い。例えば、このディスプレイに、宗教施設内のマップ（施設ガイド）や宗教法人が販売する書籍や物品の広告を表示すれば良い。
【００３３】
このディスプレイの表示領域の一部又はさらに別のディスプレイを備えて、その表示領域又は別のディスプレイを端末機20のディスプレイの代替として利用することも考えられる。後述する「変形例2-1」で述べるように、端末機20ではなく非接触型ICカードを用いて給電スタンド10からサーバ30にアクセスする場合は、ユーザが端末機20を介してサーバ30にアクセスした際に表示される宗教関連サービスの要否選択画面（後述）を上記表示領域又は別のディスプレイに表示させることで、ユーザの要求に応じて所定の宗教関連サービスを提供することができる。この別のディスプレイとしてはタッチパネルが好適に利用できる。
【００３４】
その他、給電スタンド10には、充電ケーブル60の盗難を防止するため、充電中は充電ケーブル60がコンセント16から抜けないようにロックを設けることが好ましい。このロックは、給電の終了により、或いは端末機20からサーバ30を介した給電スタンド10への要求により解除される。
【００３５】
{端末機}
端末機20（図１）は、ユーザが保有して、給電スタンド10に給電要求を行うためのユーザ入力情報などをサーバ30に送信したり、充電進行状態やシステムの利用料金などの情報をサーバ30から受信する。ユーザ入力情報としては、代表的にはユーザに固有のIDとパスワードが利用される。このような端末機20は、ユーザ入力情報の入力手段（図示略）を備え、サーバ30と通信するための端末側通信手段（図示略）及び識別コード15の読み取り手段（カメラ：図示略）を備える。本例ではカメラ付き携帯電話を端末機20として利用しており、サーバ30への情報の送信はインターネットを介して携帯サイトにアクセスすることで行い、サーバ30からの情報の受信は電子メールにて行われる。上記カメラは、給電スタンドに表示されたＱＲコード（株式会社デンソーウェーブの登録商標）を撮影するために利用される。
【００３６】
{サーバ}
サーバ30は、給電スタンド10及び端末機20の各々と通信を行って、給電システム全体の制御を行う装置で、図３に示すように、サーバ側通信手段31、記憶手段32、ユーザ認証手段33、宗教教関連サービス提供手段34、料金演算手段35、給電制御手段36、及びシステム制御手段37とを備える。
【００３７】
＜サーバ側通信手段＞
サーバ側通信手段31は、給電スタンド10とは携帯電話網を介して、端末機20とはインターネットを介して必要な情報の送受信を行う。このサーバ側通信手段31が利用する通信網には、携帯電話網などの無線通信網や、光ファイバなどの有線通信網が挙げられる。
【００３８】
＜記憶手段＞
記憶手段32は、ユーザマスタ情報、料金情報、サービスデータ、スタンド情報を記憶している。ユーザマスタ情報は、各ユーザのID、パスワード、個人情報（氏名、住所、電子メールアドレス、電話番号、上記宗教法人の信者か否かなど）の他、必要に応じて登録電動車両50の車両情報（カーメーカ、車種、年式など）が含まれる。これらの情報は、記憶手段32のうち、ユーザ情報記憶手段に記憶される。
【００３９】
料金情報は、各料金体系ごとの電力料金の単価が含まれる。料金体系には、急速充電用か普通充電用かの電圧区分の他、太陽光発電による電力や深夜電力などの電気メニューがあり、利用料金の算出に際しては、例えば、宗教法人が電力会社と契約した電気メニューに応じた単価が適用される。その他、上記宗教関連サービスが有料である場合、その各サービスの単価も料金情報に含まれる。
【００４０】
サービスデータは、上記宗教法人がユーザに対して提供しようとする宗教関連サービスに利用される電子データである。具体的には、お守りの画像データ、おみくじの結果データ、宗教法人のイベント・施設ガイド・販売物の広告などの案内データ、及び読経・講話・宗教歌などの音声データから選択される少なくとも一つが挙げられる。お守りの画像データの具体例としては、一般的なお守りのデザインを背景として、その背景に「交通安全祈願  ○○大社」や「家内安全  ○○寺」、「厄除御守  ○○寺」などの文字が表示されたものが挙げられる。おみくじの結果データとしては、「大吉」、「小吉」などの結果と、各結果に対応したおみくじの本文（金運・恋愛運などに関する説明文）が挙げられる。案内データとしては、ユーザが給電スタンド10を利用する当日又はその日から一定期間後までの間に宗教法人が催すイベントの紹介データ、神社仏閣といった宗教施設における本堂やトイレなどの位置を示すマップデータ、宗教設備近隣の飲食店や土産物屋のマップデータ、宗教法人が販売する商品・書籍・祈祷料などの広告データが挙げられる。音声データとされるコンテンツについては、読経の他、法話などの宗教講話（交通安全講話、家内安全講話、学業成就講話なども含む）、仏教歌・讃美歌などの宗教歌などが挙げられる。電子データの種類としては、テキストデータ、画像データ、音声データ、動画データなどが挙げられる。これらのサービスデータは、記憶手段32のうち、サービス情報記憶手段に記憶される。
【００４１】
スタンド情報は、充電に利用しようとする給電スタンド10を特定するための情報で、具体的には、どの駐車場のどの給電スタンド10かを特定できるデータである。
【００４２】
＜ユーザ認証手段＞
ユーザ認証手段33は、端末機20から送信されたユーザ入力情報を記憶手段32から読み出したユーザマスタ情報と参照してユーザの認証を行う。このユーザ認証により、承認されたユーザに対してのみ給電システム1の利用を許可する。また、本例のシステムにおけるユーザ認証では、ユーザが宗教法人の規定する所定の要件を満たすメンバか否かも判別できる。具体的には、ユーザが当該宗教の信者であることを判別する。
【００４３】
＜宗教関連サービス提供手段＞
宗教関連サービス提供手段34は、ユーザ認証手段33により認証されたユーザに対して、前記宗教法人が提供するサービスのうち、ユーザが端末機20を介して要求したサービスのサービスデータを前記記憶手段32から選択し、当該サービスデータを端末機20又は給電スタンド10において認識できるように指令する。
【００４４】
例えば、端末機20を介してサーバ30にアクセスしたユーザに対し、上記宗教関連サービスの選択肢を端末機20に表示させ、その端末機20からユーザに希望するサービスを選択させる（宗教関連サービスの要否選択画面）。選択肢には、おみくじ、お守りなどの各種サービス名が挙げられる。必要に応じて、各選択肢に関する説明文も合わせて端末機に表示させるようにしてもよい。例えば、「このおみくじは、あなたの携帯電話に結果を通知する電子おみくじです。利用料金は○○円です。」などの説明文が挙げられる。さらに、宗教関連サービス提供手段34は、ユーザの要求したサービスの提供に必要な処理を実行する。この処理の具体例としては、次の通りである。
【００４５】
ユーザの要求したサービスがおみくじであれば、予め設定した所定の確率にておみくじの結果が得られるよう、乱数発生や重み関数などを用いておみくじの結果を選択するための演算を行う。例えば、大吉、中吉などのおみくじの結果が引き当てられる頻度に関して予め設定された一定の確率に応じた乱数を発生させ、その得られた乱数からおみくじの結果を決定し、その結果に対応するおみくじの結果データを記憶手段32から読み出すおみくじ発行部を宗教関連サービス提供手段34に設けておく。より具体的には、大吉：10％、吉：25％、中吉：20％、小吉：20％、末吉：20％、凶：5％などの確率で各結果が得られるように演算を行う。おみくじの結果が選択されたら、その結果の表示（大吉か吉かなど）と共に、おみくじの本文（金運・恋愛運等に関する説明文など）を端末機にダウンロード又はサーバ30にアクセスしている端末機20に表示できるように指令する。
【００４６】
ユーザの要求したサービスがお守りであれば、お守りの画像データをサーバ30から端末機20にダウンロードできるように指令する。このお守りの画像データは、端末機20の待ち受け画面となる壁紙などとすることで、電子お守りとして利用できる。
【００４７】
ユーザの要求したサービスが宗教法人のイベント・施設ガイド・販売物の広告などのガイダンスであれば、そのガイダンスに必要な案内データを端末機20に表示又は端末機20にダウンロードできるように指令する。
【００４８】
ユーザの要求したサービスが読経の音声データの取得であれば、読経の音声データを端末機20にダウンロードできるように指令する。この音声データは、端末機20のスピーカ若しくは端末機20に接続したイヤホン等を介して視聴することができる他、端末機20の着信音として利用することもできる。
【００４９】
以上の宗教関連サービス提供手段34による処理を開始するタイミングは、ユーザの認証が行われた後の適時に行うことができる。例えば、給電スタンド10から車載電池への給電が開始された後に宗教関連サービスの要否の問い合わせを端末機20に表示するようにすることが挙げられる。一般に、車載電池の充電にはある程度の時間を要するため、充電が完了するまでの間、ユーザには待ち時間が発生する。そのため、充電時間中におみくじなどの宗教関連サービスをユーザに提供できれば、待ち時間の有効活用ができる。
【００５０】
上述のようにユーザの要求に応じて宗教関連サービスの提供を行うのではなく、端末機20を介してサーバ30にアクセスしたユーザに対し、予め設定しておいた特定の宗教関連サービスを自動的に提供するようにしても良い。この自動提供の一例としては、給電スタンド10に設けたディスプレイに宗教団体の案内データを表示させるなどが挙げられる。
【００５１】
＜料金演算手段＞
料金演算手段35は、給電スタンド10から送信された電力量と記憶手段32から読み出した料金情報に基づいて、給電システム1の利用料金を算出する。より具体的には、例えば電力量と料金体系の単価とから利用した電気料金を算出し、さらにシステムの使用料を加算してシステムの利用料金とする。
【００５２】
上記宗教関連サービスが有料である場合、そのサービス料も上記システムの利用料金に含めるように演算する。ユーザが当該宗教の信者で、宗教関連サービスについて割引や無料化の特典を受けられる場合、その特典を反映するように上記システムの利用料金を演算する。
【００５３】
＜給電制御手段＞
給電制御手段36は、充電に利用しようとする給電スタンド10を特定すると共に、そのスタンド10に対して、端末機20を介した給電の要求に応じて、給電スタンド10に給電の指令を行ったり、給電の停止を制御したりする。給電スタンド10の特定は、端末機20で読み取られたＱＲコードデータをサーバ30のスタンド情報と参照することで行う。
【００５４】
＜システム制御手段＞
システム制御手段37は、上述したサーバ30の各構成手段を連携して制御する。このシステム制御手段37は、端末機20がサーバ30にアクセスした際のユーザインターフェースの制御なども含む。本例では、ユーザが端末機20を用いてサーバ30にアクセスした場合、充電時間（15分、1時間、フル充電など）が選択できるようにしている。
【００５５】
〔システムの処理手順〕
次に、上記の給電システムを運用する処理手順を図４のフローチャートに基づいて説明する。図４において、左列のフローはサーバの処理手順を示し、中列のフローは給電スタンドの処理手順を示し、右列のフローは端末機の処理手順を示す。また、各列のフロー間をつなぐ破線矢印は、通信網を介してサーバ、給電スタンド、端末機の相互でデータの通信がなされることを示す。以下の説明において、システムの各構成要素については、必要に応じて図１〜図３を参照する。
【００５６】
（１）まず、ユーザは端末機20のカメラで使用する給電スタンド10のＱＲコードを撮影し、インターネットを介してサーバ30の携帯サイトにアクセスする（ステップSc1）。
【００５７】
（２）次に、端末機20から自己のID及びパスワードをサーバ30に送信し、ユーザ認証手段33によりユーザ認証を行う（ステップSs1）。このユーザ認証では、ユーザが当該宗教の信者か否かも判別する。このとき、給電制御手段36は、ＱＲコードの読み取りデータと記憶手段32のスタンド情報とを参照して、給電に供される給電スタンド10をサーバ30に認識させる。
【００５８】
（３）ユーザ認証が承認されれば、端末機20がアクセスしているサイトの画面で、認証ＯＫの通知がなされる（ステップSc2）。
【００５９】
（４）ユーザ認証と給電スタンド10の特定が済めば、サーバ30は給電準備指令を給電スタンド10に送信し（ステップSs2）、その指令を受信した給電スタンド10では、例えば準備状態を示す青ランプを点灯させる（ステップSe1）。
【００６０】
（５）給電スタンド10が準備状態となれば、充電ケーブル60で電動車両50と給電スタンド10を接続する（ステップSe2）。
【００６１】
（６）ユーザは端末機20でサーバ30に接続した状態で、サイト上の給電メニューから、例えば「15分」、「1時間」、「○○kW」、「フル充電」などの給電条件を選択し、給電開始要求を行う（ステップSc3）。
【００６２】
（７）サーバ30が給電開始要求を受信すると（ステップSs3）、給電スタンド10に給電開始指令を送信する（ステップSs4）。
【００６３】
（８）給電スタンド10は、サーバ30からの要求に応じて、電動車両50の車載電池に給電を開始する（ステップSe3）。その際、給電スタンド10では、充電中を示す赤色のランプが点灯する。
【００６４】
（９）給電開始と共に、給電スタンド10では、電力量計測手段12により電力量の計測が行われ（ステップSe4）、スタンド側通信手段13を介して、その計測結果が後にサーバ30に送信される（ステップSe7）。
【００６５】
（10）一方、ユーザが端末機20でサーバ30にアクセスして、ユーザ認証、充電条件の選択に続いて充電が行われている間、宗教関連サービスを受けるか否かがサイト上のメニューに表示される（ステップSs5）。例えば、「電子おみくじ（有料）、電子お守り（有料）、施設ガイド（無料）が利用できます。このサービスの利用に伴う通信費はお客様のご負担となります。利用されますか？」などの表示に続いて、宗教関連サービスの選択肢を表示するようにすることが挙げられる。勿論、この選択肢には、いずれのサービスも不要であることを示す「不要」の選択肢も含まれる。
【００６６】
(11)ユーザは、必要に応じて、上記選択肢から希望の宗教関連サービスを選択する（ステップSc4）。宗教関連サービス提供手段34は、ユーザからのサービスの要求があったか否かの判定（ステップSs6）に基づき、必要な処理を実行する。
【００６７】
(12)ユーザから宗教関連サービスの要求があった場合、宗教関係サービス提供手段34は、記憶手段32から当該サービスに対応するサービスデータを選択して、端末機20で当該サービスを享受できるように指令する（ステップSs7）。ユーザは、端末機20で当該サービスデータをダウンロードしたり、端末機20のディスプレイに表示させたりする（ステップSc5）。図３では、サーバ30から端末機20に対してサービスの提供を示す破線矢印しか示していないが、給電スタンド10がディスプレイやスピーカなどを備えている場合、その給電スタンド10の設備を介してサービスの提供が行われる。
【００６８】
(13)ユーザが複数の宗教関連サービスを受けることを希望する場合、例えば、おみくじの後に案内データの受信を行うなど、個々のサービスを順次連続して提供すればよい。ユーザがいずれの宗教関連サービスも希望しない場合は、上述した選択肢から「不要」を選択する。その場合や端末機20を介した宗教関連サービスの提供が終了した場合は、通常は端末機20のサーバ30へのアクセスは一旦終了され、後に給電完了通知を受信するまで待機状態となる。
【００６９】
（14）給電スタンド10で給電が開始されたら、サーバ30は充電条件（例えば「1時間」など）から充電終了時刻を求め、端末機20に対して、現在充電中であること及び充電終了予定時刻の通知を行う（図示略）。この通知は電子メールにて行われる。
【００７０】
（15）ユーザは、端末機20で電子メールを受信することにより、充電の終了予定時刻を把握することができる（図示略）。例えば、「充電終了予定時刻は、○○日のPM3：00です。」などの通知を受けることができる。この段階で、充電時間などの充電条件を変更したい場合は、前記電子メールにサーバ30へアクセスするURLを表示しておくことで、ユーザは端末機20によりそのURLからサーバ30にアクセスして、現在進行中の充電の条件を変更することができる。例えば、当初は充電条件を「15分」と設定したが、この充電条件を「フル充電」に変更したい場合、上述したサーバ30へのアクセスにより、充電条件を変更することができる。充電条件が変更されると、その旨、及び変更後の条件に応じた充電終了予定時刻が電子メールにより通知される（図示略）。また、上記宗教関連サービスを受けることなく、或いは特定の宗教関連サービスを受けた後に端末機20とサーバ30とのアクセスが一旦終了していても、上記電子メールに表示されるURLを用いて端末機20からサーバ30に再アクセスすることで、必要に応じて所定の宗教関連サービスを受けることもできる。
【００７１】
（16）一方、給電スタンド10では、車載電池の充電が終了したか否かを判断する（ステップSe5）。通常、電動車両は、車載電池の充電が終了すれば、電動車両側から受電を遮断する機能を有しており、この電動車両側からの受電の遮断（電力量計測手段12での計測電力量がゼロになる）、或いは給電メニューから選択した充電時間の経過などにより、給電スタンド10はスイッチ手段11をオフにすることで充電を終了させることができる。充電が終了していなければ、充電と電力量の計測を継続する。
【００７２】
（17）車載電池への給電を停止して充電が終了すると、給電スタンド10のスタンド制御手段14によりスタンド側通信手段13を介して給電完了通知がサーバ30に送信される（ステップSe6）。その際、給電スタンド10では、充電終了を示す緑ランプが点灯する。この時点で、給電スタンド10における処理は終了しているため、それ以降の適時にユーザは充電ケーブル60を給電スタンド10から取り外すことができる（ステップSe8）。
【００７３】
（18）さらに給電スタンド10は、充電終了までの利用電力量をサーバ30に送信する（ステップSe7）。
【００７４】
（19）サーバ30では、給電スタンド10からの給電完了通知を受信する（ステップSs8）と共に、利用電力量も受信する（ステップSs9）。
【００７５】
（20）サーバ30は、この受信した利用電力量と記憶手段32より読み出した料金情報の単価を元に料金演算手段35で利用料金を算出する（ステップSs10）。その際、ユーザが有料の宗教関連サービスの提供を受けていた場合、記憶手段32より読み出した各種サービスの単価を元にサービスの利用料金を算出し、そのサービス料を給電システムの利用料金に合算する。さらに、ユーザが信者であった場合は、サービスの単価或いは給電スタンド10の使用料に対して所定の割引や無料化が適用されるようにサービスの利用料金を算出し、給電システム1の利用料金を求める。この利用料金はユーザに課金される。
【００７６】
（21）一方、サーバ30では、演算された利用料金と共に、充電完了通知をユーザの端末機20に電子メールで送信する（ステップSs11）。
【００７７】
（22）ユーザは、端末機20の電子メールを確認することで、充電が終了したことに加え、いつの充電において、どの程度の電力使用量で、利用料金がいくらであったかを知ることができる（ステップSc6）。勿論、有料の宗教関連サービスを受けた場合、上記電子メールにより、当該サービス料の明細も知ることができる。この段階で、電池容量が100％でなく、さらに追加の充電を行いたい場合は、前記電子メールにサーバ30へアクセスするURLを表示しておくことで、ユーザは端末機20によりそのURLからサーバ30にアクセスして追加の充電条件を設定することで、さらに追加充電を行うことができる（図示略）。その場合も、追加の充電条件にて充電が行われること、及びその条件に応じた充電進行状態が電子メールにより通知される（図示略）。また、上記宗教関連サービスを受けることなく、或いは特定の宗教関連サービスを受けた後に端末機20とサーバ30とのアクセスが一旦終了していても、上記電子メールに表示されるURLを用いて端末機20からサーバ30に再アクセスすることで、必要に応じて所定の宗教関連サービスを受けることもできる。
【００７８】
〔作用効果〕
以上の給電システムによれば、次の作用効果を奏することができる。
【００７９】
宗教法人の管理する敷地内やその近隣の駐車場などに本発明システムに対応した給電スタンド10を設置しておくことで、ユーザは電動車両50の車載電池を充電できるだけでなく、必要に応じて宗教関連サービスも受けることができる。
【００８０】
ユーザは、車載電池の充電に伴う給電スタンド10の利用料金に加え、宗教関連サービスが有料の場合は、そのサービス料も合わせて決済することができる。
【００８１】
ユーザが、そのサービスに係る宗教の信者である場合、宗教関連サービスや給電スタンド10の利用に際して、料金の割引や無料化などの特典を受けることができる。
【００８２】
複数台の駐車スペースの各々に給電スタンド10を設置する場合、そのいずれかをサーバ30との通信機能を有する親機とし、残りを親機の通信機能を利用する子機とすることで、全ての給電スタンド10に通信機能を持たせる必要がない。そのため、給電スタンド全体の構成を簡略化し、そのコストを低減することができる。
【００８３】
給電スタンド10に、給電中の充電ケーブル60の取り外しを阻止するロック機構を設けることで、ユーザの安全を確保すると共に、充電ケーブル60の盗難を防止することができる。
【００８４】
［変形例1-1］
実施形態１の変形例として、給電システムの利用料金はクレジットカードで決済するようにしてもよい。その場合、ユーザ認証を行う際（図４のステップSs1）に、サーバ30からクレジット会社に対して与信認証を行うことが挙げられる。そして、料金演算手段35で求められた利用料金のデータは、図４のステップSs11において、ユーザの個人情報と共にサーバ30からクレジット会社に送信するよう構成すればよい。ユーザの個人情報と利用料金のデータを受けたクレジット会社は、この料金をユーザに対して請求する。
【００８５】
［変形例1-2］
次に、実施形態１の変形例として、宗教関連サービスとしておみくじを提供する際、そのおみくじにユーザが利用する給電スタンドの設置地域周辺の交通情報をも合わせて表示させる給電システムを説明する。本例は、おみくじに上記交通情報を付加できる点を除き、実施形態１と同様のシステム構成を備える。以下、主に実施形態１との相違点について説明する。
【００８６】
本例の給電システムでは、サーバ30がさらに交通情報取得手段（図示略）を備える。交通情報取得手段は、ユーザが利用しようとする給電スタンド10の設置された地域の交通情報（道路の渋滞状況などを含む）を取得する。ユーザが利用しようとする給電スタンド10がどの地域の給電スタンドであるかは、実施形態１で述べたように、個人認証の際、ＱＲコードデータとスタンド情報との参照によりサーバ30に認識させることができる。
【００８７】
一方、交通情報取得手段は、全国の交通情報を取得しておく。その交通情報としては、VICS（財団法人道路交通情報通信システムセンターの登録商標）などの公衆交通情報の利用が挙げられる。財団法人道路交通情報通信システムセンターは、約5分毎の全国の交通情報を民間に公開しており、オンデマンドVICS等を利用することで、交通情報取得手段は、全国の交通情報を取得することができる。そのため、その全国の交通情報からユーザが利用しようとする給電スタンド10の地域周辺の交通情報を抽出することができる。そして、実施形態１で述べたおみくじ発行部は、おみくじの結果データに上記の抽出された特定地域の交通情報を合わせたおみくじを発行する。
【００８８】
本例の給電システム1によれば、おみくじと共に給電スタンド周辺地域の交通情報をも合わせて提供できるため、有益な交通情報をユーザの利用に供することができると共に、危険予知や交通安全意識向上に寄与することが期待できる。
【００８９】
［実施形態２］
次に、サーバへのアクセス手段として、非接触型ICチップを用いた実施形態を説明する。本例の給電システムは、サーバへのアクセス手段として非接触型ICチップを用いる点が実施形態１との主な相違点である。他の構成は実施形態１と共通であるため、主に相違点について以下に説明する。
【００９０】
本例では、ユーザは、非接触型ICチップが内蔵された端末機20を用いる。このような端末機20の一例としては、「おサイフケータイ（株式会社エヌ・ティ・ティ・ドコモの登録商標）」機能を備えた携帯電話が挙げられる。非接触型ICチップの一例としては、FeliCa（ソニー株式会社の登録商標）チップが挙げられる。
【００９１】
一方、給電スタンド10には、上記端末機20の非接触型ICチップと通信を行うためのリーダ／ライタ（図示略）が内蔵されている。ユーザは、このような非接触型ICチップが内蔵された端末機20をリーダ／ライタの近傍にかざすことで前記チップとリーダ／ライタとの間で無線通信を行わせ、相互認証が行える。相互認証の際、サーバへアクセスするためのアドレス及びその給電スタンドのスタンド情報を端末機20が取得する。
【００９２】
この相互認証の後、ユーザは端末機20でサーバ30にアクセスする。その後の処理手順は、実施形態１と同様であり、サーバ30にアクセスした後、IDやパスワードの入力により個人認証を行って、給電又は宗教関連サービスの提供に必要な処理が実行される。
【００９３】
本例によれば、端末機20がＱＲコード（株式会社デンソーウェーブの登録商標）を読み取るためのカメラを備えていなくても、非接触型ICチップを用いたサーバへのアクセスが可能になる。
【００９４】
［変形例2-1］
次に、サーバへのアクセス手段として、非接触型ICカードを用いた変形例を説明する。本例の給電システムは、サーバへのアクセス手段として非接触型ICカードを用いる点が実施形態１や２との主な相違点である。他の構成は実施形態２と共通であるため、主に相違点について以下に説明する。
【００９５】
非接触型ICカードの具体例としては、FeliCa（ソニー株式会社の登録商標）カードが挙げられる。この非接触式ICカードも、実施形態２で用いた非接触型ICチップと同様の機能を有する。そのため、給電スタンド10に設けておいたリーダ／ライタに非接触型ICカードをかざすことで、前記チップとリーダ／ライタとの間で無線通信を行わせ、相互認証が行える。但し、本例の場合は、サーバ30へのアクセスは給電スタンド10が備えるスタンド側通信手段13を介してサーバ30へのアクセスを行う。
【００９６】
この非接触型ICカードは、例えば宗教団体又は給電システム10の運営会社のノベルティとしてユーザに配布することが考えられる。その場合、例えば、上記カードの配布を受けたユーザに課金されるのではなく、上記宗教団体又は運営会社自身を課金の対象者としておき、ユーザ認証手段33では、当該カードを利用してアクセスしたユーザに対して、これら課金対象者のID、パスワード、個人情報にて個人認証を行う。つまり、カードの配布を受けたユーザは一時的に上記宗教団体又は運営会社自身とみなされて個人認証がなされる。このようなカードでの情報に基づく認証を行った場合、カードの配布を受けたユーザに対しては、例えば一定の電力量までは無料にて給電サービスを提供するようにしておくことが挙げられる。
【００９７】
本例の場合、給電サービスを受けるユーザと課金対象者とが異なるため、サーバが当該ユーザの個人情報を認識することができず、そのユーザの端末機20に対して直接宗教関連サービスを提供することは困難である。但し、給電スタンド10がディスプレイやスピーカを備えており、かつ上記カードに基づく個人認証が行われた場合、当該給電スタンド10のディスプレイやスピーカを介して宗教団体の案内データを表示・出力させることで、給電サービスを受けるユーザに対して宗教関連サービスを提供することができる。さらに、上記カードに基づく個人認証が行われた場合、実施形態１におけるおみくじも上記ディスプレイやスピーカを介して自動的にユーザに対して提供するようにしてもよい。その場合、おみくじも無料でユーザに対して提供される。
【００９８】
非接触型ICカードを用いる場合、そのカード自体をお守りとすることもできる。例えば、このカードの一面に一般的なお守りのデザインと共に「交通安全  ○○大社」などの表示を行えばよい。その場合、当該カードにより、給電サービスという実用的なサービスを受けられるカードとして利用できると共に、宗教団体をユーザに対してアピールし易いノベルティとして利用できる。
【００９９】
本発明は上記実施形態に限定されるものではなく、本発明の要旨を逸脱しない範囲内において、種々の形態で実施し得ることは言うまでもない。例えば、実施形態１では、給電スタンドの一つを親機とし、残りを子機としたが、複数ある給電スタンドの全てを親機としてもよい。また、本発明の範囲は、特許請求の範囲によって示され、さらに特許請求の範囲と均等な範囲内のすべての変更を含む。
【産業上の利用可能性】
【０１００】
本発明の給電システムは、電動車両の車載電池を充電するための給電スタンドの運用に好適に利用することができる。
【符号の説明】
【０１０１】
1  電動車両用給電システム
10  給電スタンド
11  スイッチ手段    12  電力量計測手段  13  スタンド側通信手段
14  スタンド制御手段    15  識別コード  16  コンセント
20  端末機
30  サーバ
31  サーバ側通信手段    32  記憶手段  33  ユーザ認証手段
34  宗教関連サービス提供手段  35  料金演算手段  36  給電制御手段
37  システム制御手段
50  電動車両
60  充電ケーブル
【図１】
2013178594.tif 000003
【図２】
2013178594.tif 000004
【図３】
2013178594.tif 000005
【図４】
2013178594.tif 000006